【手続補正書】
【提出日】平成24年10月18日(2012.10.18)
【手続補正１】
【補正対象書類名】特許請求の範囲
【補正対象項目名】請求項１
【補正方法】変更
【補正の内容】
【請求項１】
対流圏の制御した冷却方法であって、対流圏が少なくとも元素の鉄と吸湿性塩又は塩溶液の形で元素の塩素及び臭素の少なくとも１つとを包含するエーロゾルで富化されている冷却方法において、酸化剤として酸素又はハロゲン炭化水素を用いての燃焼では生じない塩素及び臭素化合物の群の少なくとも１つのガス状又は気化状ハロゲン含有物質を対流圏に添加し、これによってハロゲン含有物質は次の諸特性：
イ）20℃でガス状、ロ）500℃以下で気化性、ハ）50℃以上の測定し得る蒸気圧、ニ）吸湿性、ホ）加水分解可能
の少なくとも１つを特徴とし、
該ハロゲン含有物質の形成は次の諸工程：
１）塩水電解を用いることによりハロゲン含有物質の対流圏への放出、
２）次の群：金属鉄、金属チタン、元素態ケイ素、鉄−ケイ素合金、鉄−チタン合金、ケイ素−チタン合金、元素態硫黄、鉄−硫黄化合物特に硫化鉄（II）からの少なくとも１つの物質とハロゲンである塩素及び臭素との少なくとも１つの反応を用いてハロゲン含有物質の対流圏への放出、
３）機械的な燻蒸によりエーロゾルとしてハロゲン含有物質の対流圏への放出であって、その際該ハロゲン含有物質は、エーロゾルの水含量を考慮することなく放出されるエーロゾルの組成物中に次の割合の元素の鉄、塩素、臭素、硫黄、シュウ酸塩−炭素及びケイ素を有するものとする：
鉄 ５％に等しいか又はそれより多い
塩素＋硫黄＋シュウ酸塩−炭素＋ケイ素 90％に等しいか又はそれより少ない
臭素 ５％に等しいか又はそれより少ない
ハロゲン含有物質の対流圏への放出
の少なくとも１つにより生起することを特徴とする対流圏の冷却制御方法。
【手続補正２】
【補正対象書類名】特許請求の範囲
【補正対象項目名】請求項７
【補正方法】変更
【補正の内容】
【請求項７】
ハロゲン含有物質はFeCl3、FeCl3×6H2O、FeBr3、FeB3×6H2O、SiCl4、SiBr4,Br2、Cl2、BrCl、S2Cl2,SCl2、S2Br2、SBr2、HBr、HCl、NH4Cl、NH4Br、塩化オキサリル、臭化オキサリルの群から選ばれることを特徴とする請求項１〜６の何れか１項に記載の方法。
【手続補正３】
【補正対象書類名】明細書
【補正対象項目名】００５６
【補正方法】変更
【補正の内容】
【００５６】
放出されるエーロゾルの組成物中の水含量及び他の成分を考慮することなしに且つまたそれらがガス又は蒸気から又は機械的な燻蒸から発生するかどうかとは独立して、元素の鉄、塩素、臭素、硫黄、シュウ酸塩−炭素及びケイ素の好ましい割合は次の通りである：
鉄                                      ５％に等しいか又はそれより多い
塩素＋硫黄＋シュウ酸塩−炭素＋ケイ素    90％に等しいか又はそれより小さい
臭素                                    ５％に等しいか又はそれより小さい
これらの要件に合致する例示的な処方物を次に記載するが、該処方物からは機械的な噴霧化により生成されるエーロゾルの形成に適当である水溶液又は懸濁物を製造できる：
実施例１
例示的処方物１：
塩化鉄（III）                          １重量部
臭化鉄（III）                        0.01重量部
シュウ酸アンモニウム                  0.1重量部
実施例２
例示的処方物２：
塩化鉄（II）                           １重量部
臭化鉄（II）                         0.01重量部
シュウ酸アンモニウム                 0.05重量部
実施例３
例示的処方物３：
海塩（sea salt）                       １重量部
硫酸鉄（III）                         0.1重量部
シュウ酸アンモニウム                 0.05重量部
実施例４
例示的処方物４：
海塩                                   １重量部
硝酸鉄（III）                         0.1重量部
シュウ酸アンモニウム                 0.05重量部
実施例５
例示的処方物５：
海塩                                   １重量部
硫酸鉄（II）                          0.1重量部
塩化水素                             0.01重量部
シュウ酸アンモニウム                 0.05重量部
実施例６
例示的処方物６：
海塩                                   １重量部
硫酸鉄（III）アンモニウム             0.1重量部
塩化水素                             0.01重量部
シュウ酸アンモニウム                 0.05重量部
実施例７
例示的処方物７：
海塩                                   １重量部
硫化鉄                                0.2重量部
塩化水素                             0.01重量部
シュウ酸アンモニウム                  0.1重量部
実施例８
例示的処方物８：
海塩                                   １重量部
酸化鉄水和物                          0.2重量部
元素態硫黄                            0.1重量部
塩化水素                             0.01重量部
シュウ酸アンモニウム                  0.1重量部
実施例９
例示的処方物９：
海塩                                   １重量部
塩化鉄（III）                         0.2重量部
元素態硫黄                            0.1重量部
SiO2として算出したゲル形のケイ酸      0.2重量部
シュウ酸                              0.1重量部
実施例１及び２の処方物は、グラウンド基質の放出設備からの担体ガス流と共に、好ましくは中温煙ガス及び中温廃気及び廃ガス流の放出源により担体ガス流と共に本発明のエーロゾルの放出に好ましい。用いた運搬ガスは、硫酸塩及び硫酸水素塩として、本発明のエーロゾルとの接触で迅速に吸収される二酸化硫黄と空気からの酸素とを好ましくは含有する。かゝる放出設備を定置した都会地域の上方では、本発明のエーロゾルを特に好ましい硫酸水素塩（hydrogen sulfate）で富化することを達成するために十分な二酸化硫黄が多くの場合に存在する。硫酸水素塩の形成は、鉄塩における液体のハロゲン化物ラジカルへの光化学酸化によりそのハロゲン化物成分の減損が完了した時でさえ、エーロゾルの所望の吸湿性挙動を生起し、それ故エーロゾルそれ自体は例えば実施例２による処方物の如く、更なる吸湿性の塩成分を含有しない。実施例１による処方物に含有される鉄（III）塩は既に本来吸湿性である。